(57)【要約】【課題】外部機器へ画像ファイルを転送する際に、画質の低下を抑制するとともに、転送処理を短時間で行う。【解決手段】撮像画像を画像ファイルとして保存し、この画像ファイルを外部機器４に転送する画像処理装置６において、画像ファイルと外部機器が受容可能なデータサイズとに基づいて転送圧縮パラメータを決定するパラメータ決定手段と、パラメータ決定手段により決定された転送圧縮パラメータに基づいて、画像ファイルに圧縮処理を施して転送のための圧縮画像ファイルを作成する転送圧縮手段と、を備えた。【選択図】  図１
2005012326.tif 000002
【特許請求の範囲】
【請求項１】
撮像画像を画像ファイルとして保存し、この画像ファイルを外部機器に転送する画像処理装置において、
前記画像ファイルと前記外部機器が受容可能なデータサイズとに基づいて、転送圧縮パラメータを決定するパラメータ決定手段と、
前記パラメータ決定手段により決定された前記転送圧縮パラメータに基づいて、前記画像ファイルに圧縮処理を施して転送のための圧縮画像ファイルを作成する転送圧縮手段と、を備えたことを特徴とする画像処理装置。
【請求項２】
前記画像ファイルを、保存用圧縮パラメータに基づいて圧縮して作成するよう構成するとともに、
前記パラメータ決定手段は、前記保存用圧縮パラメータに基づいて、前記転送圧縮パラメータを決定することを特徴とする請求項１に記載の画像処理装置。
【請求項３】
前記転送圧縮手段は、所定の量子化テーブルに前記転送圧縮パラメータを乗じて得られたテーブルに基づいて、前記画像ファイルに圧縮処理を施すことを特徴とする請求項２に記載の画像処理装置。
【請求項４】
前記パラメータ決定手段は、前記画像ファイルのデータサイズに基づいて、前記転送圧縮パラメータを決定することを特徴とする請求項１から３のいずれか一項に記載の画像処理装置。
【請求項５】
前記転送圧縮手段は、前記画像データの画素数を変更することにより、前記圧縮処理を施すことを特徴とする請求項１から４のいずれか一項に記載の画像処理装置。
【請求項６】
請求項１から５のいずれか一項に記載の画像処理装置と、
前記画像ファイルの解像度を設定可能な解像度設定手段と、を備え、
前記画像処理装置の前記パラメータ決定手段は、前記画像ファイルの解像度に基づいて、前記転送圧縮パラメータを決定することを特徴とする撮影装置。
【請求項７】
請求項１から５のいずれか一項に記載の画像処理装置と、
前記画像ファイルの圧縮率を設定可能な圧縮率設定手段と、を備え、
前記画像処理装置の前記パラメータ決定手段は、前記画像ファイルの圧縮率に基づいて、前記転送圧縮パラメータを決定することを特徴とする撮影装置。
【発明の詳細な説明】
【０００１】
【発明の属する技術分野】
本発明は、撮像により取得された画像ファイルを外部機器へ転送する画像処理装置と、この画像処理装置を備えた撮影装置に関するものである。
【０００２】
【従来の技術】
従来、この種の画像処理装置を備えた撮影装置としてデジタルカメラ等が知られている（例えば、特許文献１参照。）。この画像処理装置としては、撮像画像を画像ファイルとして保存し、この画像ファイルを携帯電話端末等の外部機器に転送するものが一般的である。
【０００３】
この画像処理装置は、画像ファイルを外部機器へ転送する際に、画像ファイルのデータサイズと外部機器のバッファ容量とを比較し、転送に係る画像ファイルのデータサイズよりバッファ容量が小さい場合に、画像ファイルを所定の圧縮率にてデータサイズを圧縮した転送用の画像ファイルを作成する。データサイズよりバッファ容量が大きい場合は、画像ファイルを加工することなく外部機器へ転送する。
【０００４】
そして、圧縮された画像ファイルのデータサイズとバッファ容量とを比較し、転送に係る画像ファイルのデータサイズよりバッファ容量が大きい場合は、画像ファイルを外部機器へ転送する。画像ファイルがバッファ容量より小さい場合は、再度、所定の圧縮率で圧縮をする。データサイズがバッファ容量より小さくなるまでこの処理を繰り返して、画像ファイルを外部機器へ転送するようになっている。
【０００５】
【特許文献１】
特開２００３−６０９５２号公報
【０００６】
【発明が解決しようとする課題】
ところで、ＪＰＥＧ圧縮等の画像ファイルは、画像によって作成されるデータサイズにばらつきが生じる。ここで、前記画像処理装置で、ＪＰＥＧ圧縮に係る画像ファイルを扱うと、画像ファイルを所定の圧縮率で圧縮をするため、データサイズが外部機器のバッファ容量をはるかに超えて小さくなって、必要以上に画質が劣化する場合がある。また、この逆に、データサイズが外部機器のバッファ容量より小さくなるまで、圧縮処理を複数行う場合もあり、転送処理に長時間を要する場合もある。
【０００７】
本発明は、前記事情に鑑みてなされたものであり、その目的とするところは、外部機器へ画像ファイルへ転送する際に、画質の低下を抑制するとともに、転送処理を短時間で行うことのできる画像処理装置と、この画像処理装置を備えた撮影装置を提供することにある。
【０００８】
【課題を解決するための手段】
前記目的を達成するため、請求項１に記載の発明では、
撮像画像を画像ファイルとして保存し、この画像ファイルを外部機器に転送する画像処理装置において、
前記画像ファイルと前記外部機器が受容可能なデータサイズとに基づいて、転送圧縮パラメータを決定するパラメータ決定手段と、
前記パラメータ決定手段により決定された前記転送圧縮パラメータに基づいて、前記画像ファイルに圧縮処理を施して転送のための圧縮画像ファイルを作成する転送圧縮手段と、を備えたことを特徴とする。
【０００９】
請求項１に記載の発明によれば、外部機器が受容可能なデータサイズに対応して画像ファイルが転送のための圧縮されるので、外部機器へ転送される圧縮画像ファイルを転送可能なデータサイズに近づけることができる。すなわち、転送時の転送のための圧縮による画質の劣化を極力抑制して、外部機器へ画像を転送することができる。
また、画像ファイルを外部機器が受容可能なデータサイズに対応させることにより、画像ファイルの圧縮作業を１回で終了することができる。すなわち、外部機器へ画像ファイルへ転送する際に、転送処理を短時間で行うことができる。
【００１０】
請求項２に記載の発明では、請求項１に記載の画像処理装置において、
前記画像ファイルを、保存用圧縮パラメータに基づいて圧縮して作成するよう構成するとともに、
前記パラメータ決定手段は、前記保存用圧縮パラメータに基づいて、前記転送圧縮パラメータを決定することを特徴とする。
【００１１】
請求項２に記載の発明によれば、請求項１の作用に加え、保存用圧縮パラメータに基づいて転送圧縮パラメータが決定されるので、画像ファイルの圧縮状態を加味した適切なパラメータにより圧縮画像ファイルを作成することができる。
【００１２】
請求項３に記載の発明では、請求項２に記載の画像処理装置において、
前記転送圧縮手段は、所定の量子化テーブルに前記転送圧縮パラメータを乗じて得られたテーブルに基づいて、前記画像ファイルに圧縮処理を施すことを特徴とする。
【００１３】
請求項３に記載の発明によれば、請求項２の作用に加え、所定の量子化テーブルに転送圧縮パラメータを乗じるので、例えば予め装置に記憶されている量子化テーブルにより転送のための圧縮を行うことができ、実用に際して極めて有利である。
【００１４】
請求項４に記載の発明では、請求項１から３のいずれか一項に記載の画像処理装置において、
前記パラメータ決定手段は、前記画像ファイルのデータサイズに基づいて、前記転送圧縮パラメータを決定することを特徴とする。
【００１５】
請求項４に記載の発明によれば、請求項１から３のいずれか一項の作用に加え、画像ファイルのデータサイズに基づいて、転送のための圧縮時の転送圧縮パラメータが決定されるので、データサイズを加味した適切なパラメータにより圧縮画像ファイルを作成することができる。
【００１６】
請求項５に記載の発明では、請求項１から４のいずれか一項に記載の画像処理装置において、
前記転送圧縮手段は、前記画像データの画素数を変更することにより、前記圧縮処理を施すことを特徴とする。
【００１７】
請求項５に記載の発明によれば、請求項１から４のいずれか一項の作用に加え、画像データの画素数を変更することにより画像ファイルの圧縮をすることができ、圧縮処理が簡単容易であるし、画質の低下を必要最小限にすることができる。
【００１８】
請求項６に記載の発明では、撮影装置において、
請求項１から５のいずれか一項に記載の画像処理装置と、
前記画像ファイルの解像度を設定可能な解像度設定手段と、を備え、
前記画像処理装置の前記パラメータ決定手段は、前記画像ファイルの解像度に基づいて、前記転送圧縮パラメータを決定することを特徴とする。
【００１９】
請求項６に記載の発明によれば、画像ファイルの解像度に基づいて転送圧縮パラメータが決定されるので、解像度設定手段により設定された解像度を加味した適切なパラメータにより圧縮画像ファイルを作成することができる。
【００２０】
請求項７に記載の発明では、撮影装置において、
請求項１から５のいずれか一項に記載の画像処理装置と、
前記画像ファイルの圧縮率を設定可能な圧縮率設定手段と、を備え、
前記画像処理装置の前記パラメータ決定手段は、前記画像ファイルの圧縮率に基づいて、前記転送圧縮パラメータを決定することを特徴とする。
【００２１】
請求項７に記載の発明によれば、画像ファイルの圧縮率に基づいて転送圧縮パラメータが決定されるので、圧縮率設定手段により設定された圧縮率を加味した適切なパラメータにより圧縮画像ファイルを作成することができる。
【００２２】
【発明の実施の形態】
図１から図６は本発明の第１の実施形態を示すもので、図１はデジタルカメラの概略構成ブロック図、図２はデジタルカメラの画像処理装置のメモリを示すブロック図、図３は画像処理装置の画像ファイルのデータサイズを示す説明図、図４は携帯電話端末が受容可能な圧縮画像ファイルのデータサイズを示す説明図、図５は転送圧縮パラメータのパラメータテーブルを示す説明図、図６は画像ファイルのデータサイズと転送のための圧縮後のデータサイズとを示す説明図である。
【００２３】
図１に示すように、本実施形態において例示する撮影装置はデジタルカメラ１であり、撮像部２にて取得される画像に処理を施して画像ファイル３を作成する。そして、画像ファイル３は、外部機器へ送信されるようになっている。本実施形態のデジタルカメラ１は、図１に示すように、外部機器としての携帯電話端末４に通信接続した際に、携帯電話端末４へ圧縮画像ファイル５を転送する。すなわち、このデジタルカメラ１は、画像ファイル３の作成、保存と、圧縮画像ファイル５の作成、転送を行う画像処理装置６を備えている。
【００２４】
この画像処理装置６は、ＣＰＵ６ａ等を有し、レンズ部７を通じて撮像部２にて取得した画像を、３段階の解像度、２段階の圧縮率を選択して、画像ファイル３としてメモリ８に保存する。本実施形態においては、このＣＰＵ６ａ、メモリ８等が、後述する転送圧縮パラメータ１２に基づいて、画像ファイル３に圧縮処理を施して転送のための圧縮画像ファイル５を作成する転送圧縮手段をなしている。また、本実施形態においては、デジタルカメラ１には、使用者等により操作される解像度設定操作部９及び圧縮率設定操作部１０が備えられている。また、本実施形態においては、取得した画像を可変長圧縮により圧縮しており、画像によって画像ファイル３のデータサイズが変化するようになっている。
【００２５】
解像度設定手段としての解像度設定操作部９は、具体的に３段階の解像度として、画素数にして、（２０４８×１５３６）の解像度と、（１６００×１２００）の解像度と、（６４０×４８０）の解像度とを選択できるようになっている。本実施形態においては、画像の圧縮処理に従来公知のＪＰＥＧ圧縮を採用している。また、圧縮率設定手段としての圧縮率設定操作部１０は、２段階の圧縮率として、ファインモードの圧縮率と、ノーマルモードの圧縮率とが選択でき、ファインモードではノーマルモードに比して画像ファイル３のサイズが大きくなるものの、画質が低下しないように設定されている。取得された画像の圧縮に際しては、予めデジタルカメラ１に記憶された量子化テーブル１１が使用される。本実施形態においては、この基準の量子化テーブル１１に基づいて、画像圧縮等の処理が施される。図３に、各画素数ごとの各圧縮率における画像ファイル３の平均的なデータサイズを示す。
【００２６】
図３に示すように、画像ファイル３のデータサイズは、画素数が（２０４８×１５３６）のときはファインモードにて平均で約１３００ｋＢ、ノーマルモードにて平均で約６５０ｋＢであり、画素数が（１６００×１２００）のときはファインモードにて平均で約８００ｋＢ、ノーマルモードにて平均で約４００ｋＢであり、画素数が（６４０×４８０）のときはファインモードにて平均で約２００ｋＢ、ノーマルモードにて平均で約１００ｋＢである。
【００２７】
本実施形態においては、画像ファイル３を伸張してから、転送における画像サイズにリサイズした後、再度圧縮することにより圧縮画像ファイル５を作成する。図４に示すように、携帯電話端末４へ画像を転送する場合には、転送画像の画像サイズは画素数にして（１２８０×９６０）又は（６４０×４８０）に限られている。また、転送画像のデータサイズの上限は、画素数が（１２８０×９６０）のときは２００ｋＢ、（６４０×４８０）のときは１００ｋＢとなっている。すなわち、圧縮画像ファイル５は、携帯電話端末４側の画素数に対応させつつ、さらに受容可能なデータサイズの上限値を超えないように作成する必要がある。
【００２８】
画像ファイル３は、前述のようにＪＰＥＧ圧縮によって作成されており、各圧縮率に応じた保存用圧縮パラメータに基づいて圧縮して作成されている。本実施形態では、伸張処理が施された画像ファイル３において転送のための圧縮をする際、量子化テーブル１１に転送圧縮パラメータ１２を乗じて得られたテーブルに基づいて圧縮をすることとなる。図２に示すように、デジタルカメラ１のメモリ８には、転送圧縮パラメータ１２が画像ファイル３の圧縮モード（圧縮率）及びデータサイズと、各ファイル３，５の画素数（解像度）により一義的に定まるように設定されたパラメータテーブル１３が記憶されている。すなわち、ＣＰＵ６ａと、メモリ８とが、画像ファイル３と携帯電話端末４が受容可能なデータサイズとに基づいて、転送圧縮パラメータ１２を決定するパラメータ決定手段をなしている。図５には、画素数が（２０４８×１５３６）の画像ファイル３から、画素数が（６４０×４８０）の圧縮画像ファイル５を作成する際に使用するパラメータテーブル１３を示す。
【００２９】
図５に示すように、画像ファイル３が、ファインモードでデータサイズが６００ｋＢ未満、または、ノーマルモードでデータサイズが３００ｋＢ未満のときは、転送圧縮パラメータ１２は０．３８となっている。同様に、ファインモードでデータサイズが６００ｋＢ以上で８００ｋＢ未満、または、ノーマルモードでデータサイズが３００ｋＢ以上で４００ｋＢ未満のときは、転送圧縮パラメータ１２は０．４３となっている。同様に、ファインモードでデータサイズが８００ｋＢ以上で１０００ｋＢ未満、または、ノーマルモードでデータサイズが４００ｋＢ以上で５００ｋＢ未満のときは、転送圧縮パラメータ１２は０．６９となっている。同様に、ファインモードでデータサイズが１０００ｋＢ以上で１２００ｋＢ未満、または、ノーマルモードでデータサイズが５００ｋＢ以上で６００ｋＢ未満のときは、転送圧縮パラメータ１２は１．５０となっている。同様に、ファインモードでデータサイズが１２００ｋＢ以上で１４００ｋＢ未満、または、ノーマルモードでデータサイズが６００ｋＢ以上で７００ｋＢ未満のときは、転送圧縮パラメータ１２は１．８９となっている。同様に、ファインモードでデータサイズが１４００ｋＢ以上で１６００ｋＢ未満、または、ノーマルモードでデータサイズが７００ｋＢ以上で８００ｋＢ未満のときは、転送圧縮パラメータ１２は２．０６となっている。同様に、ファインモードでデータサイズが１６００ｋＢ以上で１８００ｋＢ未満、または、ノーマルモードでデータサイズが８００ｋＢ以上で９００ｋＢ未満のときは、転送圧縮パラメータ１２は２．２５となっている。同様に、ファインモードでデータサイズが１８００ｋＢ以上で２０００ｋＢ未満、または、ノーマルモードでデータサイズが９００ｋＢ以上で１０００ｋＢ未満のときは、転送圧縮パラメータ１２は２．４４となっている。同様に、ファインモードでデータサイズが２０００ｋＢ以上、または、ノーマルモードでデータサイズが１０００ｋＢ以上のときは、転送圧縮パラメータ１２は４．１３となっている。
【００３０】
量子化テーブル１１においては、テーブルの行列の各要素における数値が大きいほど圧縮率が大きくなり、この数値が小さいほど圧縮率が小さくなる。すなわち、パラメータテーブル１３では、データサイズの大きいものほど圧縮率を大きくし、データサイズの小さいものほど圧縮率を小さくするようになっている。また、同じデータサイズであっても、ファインモードのものは圧縮率を大きくし、ノーマルモードのものは圧縮率を小さくするようになっている。
【００３１】
このパラメータテーブル１３により決定された転送圧縮パラメータ１２を、量子化テーブル１１に乗ずることにより得られたテーブルを利用して、転送用の圧縮画像ファイル５を作成した結果の一例を図６に示す。図６に示すように、ファインモードで７９３ｋＢの画像ファイル３について前述の伸張、転送のための圧縮の処理を施すと、データサイズが９２ｋＢの圧縮画像ファイル５が作成された。また、ファインモードで１２８３ｋＢの画像ファイル３について前述の伸張、転送のための圧縮の処理を施すと、データサイズが８９ｋＢの圧縮画像ファイル５が作成された。また、ノーマルモードで７４７ｋＢの画像ファイル３について前述の伸張、転送のための圧縮の処理を施すと、データサイズが８５ｋＢの圧縮画像ファイル５が作成された。いずれも、携帯電話端末４側におけるデータサイズの上限である１００ｋＢ未満のデータサイズとなる。また、圧縮画像ファイル５が必要以上に圧縮された状態となることはなく、所定の画質は確保される。
【００３２】
このように、本実施形態の画像処理装置６によれば、携帯電話端末４が受容可能なデータサイズに対応して画像ファイル３が転送のための圧縮されるので、携帯電話端末４へ転送される圧縮画像ファイル５を転送可能なデータサイズに近づけることができる。すなわち、転送時の転送のための圧縮による画質の劣化を極力抑制して、携帯電話端末４へ画像を転送することができる。
また、画像ファイル３を携帯電話端末４が受容可能なデータサイズに対応させることにより、画像ファイル３の圧縮作業を１回で終了することができる。すなわち、携帯電話端末４へ画像ファイル３へ転送する際に、転送処理を短時間で行うことができる。
【００３３】
また、本実施形態のデジタルカメラ１によれば、パラメータテーブル１３において、量子化テーブル１１に転送圧縮パラメータ１２を乗じるので、予め画像処理装置６に記憶されている量子化テーブル１１により転送のための圧縮を行うことができ、実用に際して極めて有利である。
【００３４】
また、本実施形態のデジタルカメラ１によれば、携帯電話端末４への転送時に、画像ファイル３の画素数を変更することにより転送のための圧縮をすることができ、圧縮処理が簡単容易であるし、画質の低下を必要最小限にすることができる。
【００３５】
また、本実施形態のデジタルカメラ１によれば、画像ファイル３の解像度に基づいて、転送圧縮パラメータ１２が決定されるので、解像度設定操作部９により設定された解像度を加味した適切なパラメータにより圧縮画像ファイル５を作成することができる。また、画像ファイル３の圧縮率に基づいて、転送圧縮パラメータ１２が決定されるので、圧縮率設定操作部１０により設定された圧縮率を加味した適切なパラメータにより圧縮画像ファイル５を作成することができる。
【００３６】
図７及び図８は本発明の第２の実施形態を示すもので、図７はデジタルカメラの画像処理装置のメモリを示すブロック図、図８は画像ファイルの圧縮パラメータと転送に係る転送圧縮パラメータとを示す説明図である。尚、第１の実施形態と同様の構成部分には、同様の符号を付している。
【００３７】
このデジタルカメラ１は、取得した画像を固定長圧縮により圧縮している点で、前記実施形態のものと相違する。すなわち、取得した画像によらず画像ファイル３のデータサイズが一定となるようになっている。このデジタルカメラ１は、前記実施形態と同様に、３段階の解像度、２段階のデータサイズを選択して、画像ファイル３としてメモリ１０８に保存する。尚、本実施形態のデジタルカメラ１も、第１の実施形態を示す図１と同様の概略構成である。
【００３８】
ここで、３段階の解像度は、第１の実施形態と同様の画素数である。また、データサイズは、ファインモードとノーマルモードの２段階に設定可能であり、画素数が（２０４８×１５３６）のときは、ファインモードで１３００ｋＢ、ノーマルモードで６５０ｋＢとなっている。また、画素数が（１６００×１２００）のときは、ファインモードで８００ｋＢ、ノーマルモードで４００ｋＢとなっている。また、画素数が（６４０×４８０）のときは、ファインモードで２００ｋＢ、ノーマルモードで１００ｋＢとなっている。
【００３９】
本実施形態においても、画像ファイル３を伸張してから、転送における画像サイズにリサイズした後、再度圧縮することにより圧縮画像ファイル５を作成する。携帯電話端末４へ転送可能な画像サイズと、この画像サイズに対応するデータサイズは、前記実施形態と同様となっている。
【００４０】
画像ファイル３は、ＪＰＥＧ圧縮によって作成されており、所定の量子化テーブル１１１に、画像サイズ及びデータサイズに応じて算出された保存用圧縮パラメータ１１２を乗ずることにより作成されている。本実施形態においては、携帯電話端末４へ転送可能なデータサイズを超えないように、保存用圧縮パラメータ１１２に所定の処理を施すことにより、転送圧縮パラメータ１１３を算出するようになっている。本実施形態では、伸張処理が施された画像ファイル３における転送のための圧縮をする際、量子化テーブル１１１に転送圧縮パラメータ１１３を乗じることにより、圧縮画像ファイル５への圧縮率を決定する。
【００４１】
図７に示すように、このデジタルカメラ１のメモリ１０８には、転送圧縮パラメータ１１３が画像ファイル３の保存用圧縮パラメータ１１２と、各ファイル３，５の画素数（解像度）により一義的に定まるように設定されたパラメータプログラム１１４が記憶されている。図８には、画素数が（２０４８×１５３６）の画像ファイル３から、画素数が（６４０×４８０）の圧縮画像ファイル５を作成する際の、保存用圧縮パラメータ１１２と、転送圧縮パラメータ１１３の一例を示す。
【００４２】
図８に示すように、保存用圧縮パラメータ１１２が０．１９の画像ファイル３は、転送圧縮パラメータ１１３が０．８１となっている。また、保存用圧縮パラメータ１１２が０．３１の画像ファイル３は、転送圧縮パラメータ１１３が１．８８となっている。さらに、保存用圧縮パラメータ１１２が０．３８のものは、転送圧縮パラメータ１１３が２．２５となっている。これらの転送圧縮パラメータ１１３を量子化テーブル１１１に乗じて得られたテーブルを利用して圧縮画像ファイル５を作成した結果は、それぞれデータサイズが９２ｋＢ，８９ｋＢ，８５ｋＢとなった。すなわち、いずれも携帯電話端末４側におけるデータサイズの上限である１００ｋＢ未満のデータサイズとなり、また、圧縮画像ファイル５が必要以上に圧縮された状態となることはなく、所定の画質は確保される。
【００４３】
このように、本実施形態によれば、携帯電話端末４が受容可能なデータサイズに対応して画像ファイル３が転送のための圧縮されるので、携帯電話端末４へ転送される圧縮画像ファイル５を転送可能なデータサイズに近づけることができる。すなわち、転送時の転送のための圧縮による画質の劣化を極力抑制して、携帯電話端末４へ画像を転送することができる。
また、画像ファイル３を携帯電話端末４が受容可能なデータサイズに対応させることにより、画像ファイル３の圧縮作業を１回で終了することができる。すなわち、携帯電話端末４へ画像ファイル３へ転送する際に、転送処理を短時間で行うことができる。
【００４４】
また、本実施形態によれば、保存用圧縮パラメータ１１２に基づいて、転送圧縮パラメータ１１３が決定されるので、画像ファイル３の圧縮状態を加味した適切なパラメータにより圧縮画像ファイル５を作成することができる。
【００４５】
尚、第１及び第２実施形態においては、撮影装置としてデジタルカメラ１を用いたものを示したが、撮影装置として通信機能、撮像部を備えたＰＤＡなどの情報携帯端末等であってもよい。
【００４６】
また、前記各実施形態においては、画像ファイル３及び圧縮画像ファイル５の形式としてＪＰＥＧ形式を用いたものを示したが、例えばＴＩＦＦ形式のものであっても本発明を適用できることはいうまでもない。
【００４７】
また、前記各実施形態においては、携帯電話端末４へ圧縮画像ファイル５を転送するものを示したが、圧縮画像ファイル５を転送する外部機器は携帯電話端末４に限定されるものではないし、その他、具体的な細部構造等についても適宜に変更可能であることは勿論である。
【００４８】
【発明の効果】
以上詳述したように、請求項１に記載の発明によれば、外部機器が受容可能なデータサイズに対応して画像ファイルが転送のための圧縮されるので、外部機器へ転送される圧縮画像ファイルを転送可能なデータサイズに近づけることができる。すなわち、転送時の転送のための圧縮による画質の劣化を極力抑制して、外部機器へ画像を転送することができる。
また、画像ファイルを外部機器が受容可能なデータサイズに対応させることにより、画像ファイルの圧縮作業を１回で終了することができる。すなわち、外部機器へ画像ファイルへ転送する際に、転送処理を短時間で行うことができる。
【００４９】
請求項２に記載の発明によれば、請求項１の効果に加え、保存用圧縮パラメータに基づいて、転送のための圧縮時の転送圧縮パラメータが決定されるので、画像ファイルの圧縮状態を加味した適切なパラメータにより圧縮画像ファイルを作成することができる。
【００５０】
請求項３に記載の発明によれば、請求項２の効果に加え、予め設定された量子化テーブルに転送圧縮パラメータを乗じるので、圧縮に適した設定となっている量子化テーブルを利用して転送のための圧縮を行うことができ、実用に際して極めて有利である。
【００５１】
請求項４に記載の発明によれば、請求項１から３のいずれか一項の効果に加え、画像ファイルのデータサイズに基づいて、転送のための圧縮時の転送圧縮パラメータが決定されるので、データサイズを加味した適切なパラメータにより圧縮画像ファイルを作成することができる。
【００５２】
請求項５に記載の発明によれば、請求項１から４のいずれか一項の効果に加え、画像データの画素数を変更することにより転送のための圧縮をすることができ、圧縮処理が簡単容易であるし、画質の低下を必要最小限にすることができる。
【００５３】
請求項６に記載の発明によれば、画像ファイルの解像度に基づいて、転送のための圧縮時の転送圧縮パラメータが決定されるので、解像度設定手段により設定された解像度を加味した適切なパラメータにより圧縮画像ファイルを作成することができる。
【００５４】
請求項７に記載の発明によれば、画像ファイルの圧縮率に基づいて転送圧縮パラメータが決定されるので、圧縮率設定手段により設定された圧縮率を加味した適切なパラメータにより圧縮画像ファイルを作成することができる。
【図面の簡単な説明】
【図１】本発明の第１の実施形態を示すデジタルカメラの概略構成ブロック図である。
【図２】デジタルカメラの画像処理装置のメモリを示すブロック図である。
【図３】画像処理装置の画像ファイルのデータサイズを示す説明図である。
【図４】携帯電話端末が受容可能な圧縮画像ファイルのデータサイズを示す説明図である。
【図５】転送圧縮パラメータのパラメータテーブルを示す説明図である。
【図６】画像ファイルのデータサイズと転送のための圧縮後のデータサイズとを示す説明図である。
【図７】本発明の第２の実施形態を示すデジタルカメラの画像処理装置のメモリを示すブロック図である。
【図８】画像ファイルの保存用圧縮パラメータと転送に係る転送圧縮パラメータとを示す説明図である。
【符号の説明】
１          デジタルカメラ
２          撮像部
３          画像ファイル
４          携帯電話端末
５          圧縮画像ファイル
６          画像処理装置
８          メモリ
９          解像度設定操作部
１０        圧縮率設定操作部
１１        量子化テーブル
１２        転送圧縮パラメータ
１３        パラメータテーブル
１０８      メモリ
１１１      量子化テーブル
１１２      圧縮パラメータ
１１３      転送圧縮パラメータ
１１４      パラメータプログラム
【図１】
2005012326.tif 000003
【図２】
2005012326.tif 000004
【図３】
2005012326.tif 000005
【図４】
2005012326.tif 000006
【図５】
2005012326.tif 000007
【図６】
2005012326.tif 000008
【図７】
2005012326.tif 000009
【図８】
2005012326.tif 000010